(57)【特許請求の範囲】
【請求項１】
遊技盤面上に回転可能に支持されると共に、直径方向に亘り直線状に貫通することで周面に遊技球の流入口又は流出口になり得る一対の開口が形成された遊技球通路を備えた回転体と、
前記回転体の周囲に設けられ、前記回転体が支持された位置の上部に位置する第１の通路、及び前記回転体が支持された位置の左右の少なくとも一方に位置する第２の通路を具備し遊技球を前記遊技球通路へ案内する上流側通路と、前記回転体が支持された位置の下部に位置し前記遊技球通路から受け取った遊技球を特定領域へ案内する下流側通路と、を備えた案内手段と、
前記遊技球通路が、前記回転体の回転によって重力作用方向に対応し、かつ、遊技球を前記第１の通路から受け入れた場合は、当該遊技球を下流側通路へ流出させる第１のルート、及び、前記遊技球通路が、前記回転体の回転によって重力作用方向以外の方向に対応し、かつ、遊技球を前記第２の通路から受け入れた場合は、当該遊技球を前記遊技球通路内で滞留させてから下流側通路へ流出させる第２のルート、の少なくとも２ルートを備えた流動制限手段と、
を有することを特徴とする役物装置。
【請求項２】
前記回転体の回転角度により、前記遊技球通路の遊技球流動軌跡が、重力作用方向に対応した場合、前記流動制限手段は、遊技球の流動制限機能が最も低下することを特徴とする請求項１記載の役物装置。
【請求項３】
前記流動制限手段が、前記遊技球通路の中間部に設けられ、該遊技球通路の内径よりも拡大された内径を持つ中空部であり、前記遊技球通路が前記回転体の回転によって重力作用方向以外の方向に対応し、かつ、遊技球を第２の通路から受け入れた場合に、当該遊技球を中空部に収容することで、遊技球通路内で滞留させることを特徴とする請求項１又は請求項２記載の役物装置。
【請求項４】
遊技盤面における通常遊技領域に設けられた特定の入賞口に入賞することを条件として、前記遊技盤面における前記通常遊技領域とは仕切られた特定遊技部内への入賞を可能とし、当該特定遊技部内での遊技球の動向によって当たり用通路に流入した場合に、短期間に多くの賞球払い出しを受けることが可能な特別遊技状態に所定期間移行する遊技仕様に基づいて遊技を進行させる遊技制御手段を備えた遊技機であって、
前記特定遊技部が、
遊技盤面上に回転可能に支持されると共に、直径方向に亘り直線状に貫通することで周面に遊技球の流入口又は流出口になり得る一対の開口が形成された遊技球通路を備えた回転体と、
前記回転体の周囲に設けられ、前記回転体が支持された位置の上部に位置する第１の通路、及び前記回転体が支持された位置の左右の少なくとも一方に位置する第２の通路を具備し遊技球を前記遊技球通路へ案内する上流側通路と、前記回転体が支持された位置の下部に位置し前記遊技球通路から受け取った遊技球を当たり用通路へ案内する下流側通路と、を備えた案内手段と、
前記遊技球通路が、前記回転体の回転によって重力作用方向に対応し、かつ、遊技球を第１の通路から受け入れた場合は、当該遊技球を下流側通路へ流出させる第１のルート、及び、前記遊技球通路が、前記回転体の回転によって重力作用方向以外の方向に対応し、かつ、遊技球を第２の通路から受け入れた場合は、当該遊技球を前記遊技球通路内で滞留させてから下流側通路へ流出させる第２のルート、の少なくとも２ルートを備えた流動制限手段とを有し、
前記特定遊技部内へ入賞した遊技球を選択的に前記上流側通路の第１の通路又は第２の通路へ案内し、前記回転体へ到達するまでの時間、回転体の回転速度によって、前記下流側通路を介して前記当たり用通路へ案内するか否かを確定させることを特徴とする遊技機。
【発明の詳細な説明】
【技術分野】
【０００１】
本発明は、縦壁面である遊技盤面から突出する回転軸に回転可能に支持される回転体を備え、当該回転体を前記回転軸を中心に回転させ、前記回転体の直径方向に亘り直線状に貫通するように形成された遊技球通路の向きを変化させる役物装置、並びに遊技機に関するものである。
【背景技術】
【０００２】
遊技機、特にパチンコ機の遊技仕様として、役物中央部に羽根部材を設け、所定の条件が成立して羽根部材が開放することで、パチンコ球を役物内に受け入れ、当該受け入れたパチンコ球を、役物内に設けた入賞口（特定領域）に向けて案内し、入賞時には、上記と同様な特別遊技状態（以下、「Ｖ入賞遊技状態」という）とすることがなされている。
【０００３】
上記遊技仕様では、遊技盤（主として役物内）での遊技球の動向がＶ入賞遊技に至るまでの重要な要素となっている。
【０００４】
遊技球の動向を担う遊技球誘導装置としては、特許文献１に記載された回転体が提案されている。
【０００５】
この特許文献１の回転体は、当該回転体に通路が形成されており、通路の脇に一方向から通過する遊技球に対しては通過できるようになっており、反対方向から通過する遊技球に対しては通過を阻止して、回転体の回転に応じて戻される構造となっている。
【０００６】
しかしながら、特許文献１の回転体を含め、多くの回転体は、単一の方向から回転体に流入させ、回転体の回転角度と流入時期とに基づいて、排出方向が決まる構造となっており、複数方向からの回転体の通路への流入は考慮されていない。このため、遊技球の変化に富んだ動向に制限が生じる。
【０００７】
また、回転体に流入してから流出するまでの時間が回転体が存在しない場合よりも長く、仮にＶ入賞したとしても、当該Ｖ入賞するまでに時間を要する場合がある。言い換えれば、回転体の回転角度を待つことが必須の場合、Ｖ入賞するか否かの所謂緊張感と、Ｖ入賞が即時決定する満足感との両立がし難い構造となっている。
【０００８】
なお、特許文献１の回転体では、１回転の内、一方の開口が真上を中心とした所定角度範囲内に位置しているときに限り、他方の開口から排出される構造が示されているが、当該通過に抵抗力（ばね力により動作するストッパ）があり、確実に減速する構造となっている。
【先行技術文献】
【特許文献】
【０００９】
【特許文献１】特開２００５−２９６５３９号公報
【発明の概要】
【発明が解決しようとする課題】
【００１０】
本発明は上記事実を考慮し、複数の方向からの遊技球の流入を想定し、かつ、流入した遊技球に対して、素通り等、影響を与えない形態を含め、変化に富んだ動向を実現することができる役物装置及び遊技機を得ることが目的である。
【課題を解決するための手段】
【００１１】
第１の発明は、遊技盤面上に回転可能に支持されると共に、直径方向に亘り直線状に貫通することで周面に遊技球の流入口又は流出口になり得る一対の開口が形成された遊技球通路を備えた回転体と、
前記回転体の周囲に設けられ、前記回転体が支持された位置の上部に位置する第１の通路、及び前記回転体が支持された位置の左右の少なくとも一方に位置する第２の通路を具備し遊技球を前記遊技球通路へ案内する上流側通路と、前記回転体が支持された位置の下部に位置し前記遊技球通路から受け取った遊技球を特定領域へ案内する下流側通路と、を備えた案内手段と、
前記遊技球通路が、前記回転体の回転によって重力作用方向に対応し、かつ、遊技球を前記第１の通路から受け入れた場合は、当該遊技球を下流側通路へ流出させる第１のルート、及び、前記遊技球通路が、前記回転体の回転によって重力作用方向以外の方向に対応し、かつ、遊技球を前記第２の通路から受け入れた場合は、当該遊技球を前記遊技球通路内で滞留させてから下流側通路へ流出させる第２のルート、の少なくとも２ルートを備えた流動制限手段と、
を有することを特徴としている。
【００１２】
本発明によれば、回転体に設けられた遊技球通路は、当該回転体の直径方向に形成され、回転体の回転に伴ってその傾きが変化する。
【００１３】
ここで、遊技球通路が、重力作用方向に対応した場合は、一方の開口である流入口から他方の開口である流出口に至る遊技球の動きを抑止することなく通過させる。言い換えれば、回転体が遊技球の落下にほとんど影響を与えることがないルート（以下、「直ルート」という場合がある）を形成することができる。当該直ルートにおける遊技球の流出方向である重力方向が目的の流路である場合、遊技者に対して、即時に目的を達成できるという満足感を与えることができる。
【００１４】
ここで、遊技球通路が、重力作用方向以外の方向の１つである、水平方向に向けられる場合がある。この状態で、一方の開口である流入口から流入した遊技球は、流動制限手段により動きが抑制され、他方の開口へ到達できない状況が形成される。このような滞留中に、例えば、回転体が回転し続けることで、何れかの開口の向きが、遊技球の重力作用方向となると、滞留している遊技球を前記目的の流路で流出させることができる。すなわち、遊技球が一時的に滞留させるルート（以下、「滞留ルート」という場合がある）を形成することができる。当該滞留ルートでは、遊技者に対して、遊技球が目的の方向へ流出されるか否かという緊張感を与えることができる。
【００１５】
このように、本発明の役物装置（回転体）は、回転体の回転状況により、単一の遊技球通路の機能を、直ルート又は滞留ルートとして機能させることができ、変化に富んだ遊技球の動向を実現することができる。
【００１６】
第１の発明において、前記回転体の回転角度により、前記遊技球通路の遊技球流動軌跡が、重力作用方向に対応した場合、前記流動制限手段は、遊技球の流動制限機能が最も低下することを特徴としている。
また、第１の発明において、前記流動制限手段が、前記遊技球通路の中間部に設けられ、該遊技球通路の内径よりも拡大された内径を持つ中空部であり、前記遊技球通路が前記回転体の回転によって重力作用方向以外の方向に対応し、かつ、遊技球を第２の通路から受け入れた場合に、当該遊技球を中空部に収容することで、遊技球通路内で滞留させることを特徴としている。
【００１７】
回転体が回転して、遊技球通路が重力作用方向、すなわち、遊技球が自由状態で落下する方向となると、流動制限手段は、流動制限機能を完全に逸するため、遊技球は回転体から何ら抵抗を受けることなく突き抜ける（流動制限機能を回避する）ため、遊技者に対して、満足感以上（爽快感）を付与することができる。
【００１８】
第１の発明において、前記流動制限手段が、前記遊技球通路内に固定的形状として形成され、当該遊技球通路の内壁を摺動する遊技球の流動に抵抗力を付与する流動抵抗部材であることを特徴としている。
【００１９】
例えば、ばね等の付勢部材を用いて、遊技球通路内に突出或いは退避するストッパを設けることで、遊技球の流動に変化を与えることが可能であるが、固定的形状に基づいて、遊技球の流動を制限する構造の場合、部品点数を削減することができる。
【００２０】
第１の発明において、前記流動抵抗部材が、前記遊技球通路の全長の一部の内壁に流動抵抗領域として形成された凹部又は凸部の少なくとも一方であることを特徴としている。
【００２１】
遊技球が遊技球通路の内壁に沿って摺動する場合、必ず流動抵抗ゾーンにおいて抵抗力を受けるため、その分、減速されて滞留されることになる。
【００２２】
第１の発明において、前記回転体の周囲には、少なくとも前記回転体の上部に設けられた縦路と、前記回転体の左右の少なくとも一方に設けられた横路とを備えた案内部材が配設され、前記回転体の回転により、前記遊技球通路が、前記縦路又は前記横路に選択的に連通することを特徴としている。
【００２３】
遊技球が回転体に至るまでの道程として、回転体の周囲に案内部材を配置する。案内部材は、回転体の上部に設けられた縦路と、前記前記回転体の左右の少なくとも一方に設けられた横路とを備える。
【００２４】
回転体と案内部材とを組み合わせることにより、例えば、遊技球通路が単一構成の場合、回転体の回転状況によって、両端の開口が縦路又は横路に選択的に連通されることになる。この連通時期と、遊技球の流動時期とにより、遊技球の回転体の通過を、前記直ルートか滞留ルートか、或いはタイミングを逸して、遊技球通路に到達できないか等、役物装置として遊技球を用いたルートの選択肢を広げることができる。
【００２５】
第１の発明において、前記回転体の周囲に、左右対称に前記横路がそれぞれ設けられており、前記回転体の回転角度により、前記遊技球通路の両端の開口が前記横路のそれぞれと連通しているとき、一方の横路から前記遊技球通路に流入する遊技球が他方の横路へ流出しないように、前記流動制限手段が機能することを特徴としている。
【００２６】
横路が回転体に対して、左右対称に設けられ、遊技球流路の両端の開口がそれぞれ横路と連通する場合があると、一方の開口から流入した遊技球が、そのまま他方の開口から流出する可能性がある。
【００２７】
流動制限手段では、このような状況下にかぎり、一方の横路から前記遊技球通路に流入する遊技球が他方の横路へ流出しないように機能する。
【００２８】
例えば、遊技球通路の内壁の一部に凹部（所謂、落とし穴）を形成すると、内壁に沿って摺動してくる遊技球が当該凹部に落下することになる。この落下後の遊技球が凹部から抜け出ようとするときに減速され、凹部内に滞留する場合と凹部から抜け出て流出される場合がある。すなわち、凹部の深さによって、凹部内に滞留する確率を設定することができる。
【００２９】
第２の発明は、遊技盤面における通常遊技領域に設けられた特定の入賞口に入賞することを条件として、前記遊技盤面における前記通常遊技領域とは仕切られた特定遊技部内への入賞を可能とし、当該特定遊技部内での遊技球の動向によって当たり用通路に流入した場合に、短期間に多くの賞球払い出しを受けることが可能な特別遊技状態に所定期間移行する遊技仕様に基づいて遊技を進行させる遊技制御手段を備えた遊技機であって、前記特定遊技部が、遊技盤面上に回転可能に支持されると共に、直径方向に亘り直線状に貫通することで周面に遊技球の流入口又は流出口になり得る一対の開口が形成された遊技球通路を備えた回転体と、前記回転体の周囲に設けられ、前記回転体が支持された位置の上部に位置する第１の通路、及び前記回転体が支持された位置の左右の少なくとも一方に位置する第２の通路を具備し遊技球を前記遊技球通路へ案内する上流側通路と、前記回転体が支持された位置の下部に位置し前記遊技球通路から受け取った遊技球を当たり用通路へ案内する下流側通路と、を備えた案内手段と、前記遊技球通路が、前記回転体の回転によって重力作用方向に対応し、かつ、遊技球を第１の通路から受け入れた場合は、当該遊技球を下流側通路へ流出させる第１のルート、及び、前記遊技球通路が、前記回転体の回転によって重力作用方向以外の方向に対応し、かつ、遊技球を第２の通路から受け入れた場合は、当該遊技球を前記遊技球通路内で滞留させてから下流側通路へ流出させる第２のルート、の少なくとも２ルートを備えた流動制限手段とを有し、前記特定遊技部内へ入賞した遊技球を選択的に前記上流側通路の第１の通路又は第２の通路へ案内し、前記回転体へ到達するまでの時間、回転体の回転速度によって、前記下流側通路を介して前記当たり用通路へ案内するか否かを確定させることを特徴としている。
【００３０】
本発明によれば、遊技制御手段では、通常遊技領域に設けられた特定の入賞口に遊技球が入賞すると、例えば、通常領域と特定遊技部との間に設けられた開閉部材等を開放し、遊技球の入賞を許可する。
【００３１】
特定遊技部には、当たり用通路が設けられ、特定遊技部に入賞し、かつ当たり用通路に入賞すると、短期間に多くを賞球払い出しを受けることが可能な特別遊技状態に所定期間移行することができる。
【００３２】
ここで、特定遊技部には、縦壁面である遊技盤面から突出する回転軸に回転可能に支持され、直径方向に亘り直線状に貫通するように遊技球通路が形成された回転体と、回転体の周囲に配設され、回転体の重力作用方向である上部に設けられた縦路と、回転体の重力作用方向に対して交差する方向である左右部に設けられた横路と、で形成された案内部材とが設けられ、遊技球を複雑に案内することで、遊技性を高めている。
【００３３】
すなわち、特定遊技部内へ遊技球が入賞した時期、入賞した遊技球を選択的に前記縦路又は横路へ案内し回転体へ到達するまでの時間、回転体の回転速度によって、当たり用通路へ案内するか否かが確定するため、遊技者は常に遊技球の動向を目で追って楽しむことができる。
【００３４】
ここで、遊技球通路が、重力作用方向に対応した場合は、一方の開口である流入口から他方の開口である流出口に至る遊技球の動きを抑止することなく通過させる。言い換えれば、回転体が遊技球の落下にほとんど影響を与えることがないルート（以下、「直ルート」という場合がある）を形成することができる。当該直ルートにおける遊技球の流出方向である重力方向に当たり用通路がある場合、遊技者に対して、即時に目的を達成できるという満足感を与えることができる。
【００３５】
また、遊技球通路が、重力作用方向以外の方向の１つである、水平方向に向けられる場合がある。この状態で、一方の開口である流入口から流入した遊技球は、流動制限手段により動きが抑制され、他方の開口へ到達できない状況が形成される。このような滞留中に、例えば、回転体が回転し続けることで、何れかの開口の向きが、遊技球の重力作用方向となると、滞留している遊技球を当たり用通路へ流出させることができる。すなわち、遊技球が一時的に滞留させるルート（以下、「滞留ルート」という場合がある）を形成することができる。当該滞留ルートでは、遊技者に対して、遊技球が目的の方向へ流出されるか否かという緊張感を与えることができる。
【００３６】
このように、本発明では、回転体の回転状況により、単一の遊技球通路の機能を、直ルート又は滞留ルートとして機能させることができ、変化に富んだ遊技球の動向を実現することができる。
【００３７】
以上説明したように、回転体と案内部材とを組み合わせることにより、例えば、遊技球通路が単一構成の場合、回転体の回転状況によって、両端の開口が縦路又は横路に選択的に連通されることになり、直ルートか滞留ルートか、或いはタイミングを逸して、遊技球通路に到達できないか等、遊技球を用いたルートの選択肢を広げることができる。
【発明の効果】
【００３８】
以上説明した如く本発明では、複数の方向からの遊技球の流入を想定し、かつ、流入した遊技球に対して、素通り等、影響を与えない形態を含め、変化に富んだ動向を実現することができるという優れた効果を有する。
【図面の簡単な説明】
【００３９】
【図１】本実施の形態に係るパチンコ機の正面図である。
【図２】本実施の形態に係る遊技盤の正面図である。
【図３】本実施の形態に係るセンター役物の正面図である。
【図４】本実施の形態に係る遊技の進行を制御する制御ブロック図である。
【図５】（Ａ）は本実施の形態に係る回転体の正面図、（Ｂ）は図５（Ａ）の右側面図、（Ｃ）は図５（Ａ）のＶＣ−ＶＣ線断面図である。
【図６】本実施の形態に係る特定遊技部での可動部材の動作タイミングチャートである。
【図７】本実施の形態に係る回転体の遊技球通路が縦向きなった場合の正面図である。
【図８】本実施の形態に係る回転体の遊技球通路が横向きなった場合の正面図である。
【図９】変形例１に係る回転体の正面図である。
【図１０】変形例２に係る回転体の正面図である。
【図１１】変形例３係る回転体の正面図である。
【図１２】変形例４に係る回転体の正面図である。
【発明を実施するための形態】
【００４０】
（パチンコ機の構成）
図１に示されるように、パチンコ機１０の前面下部には、化粧パネルとなる下飾り１２が取り付けられている。
【００４１】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００４２】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００４３】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００４４】
上皿部２８の周縁壁部３２における図１の右端部には、球貸ボタン４２と、返却ボタン４４が設けられている。
【００４５】
また、一体皿２４の右側下部には打球の発射力（飛距離）を調整するためのグリップユニット（発射ハンドル）２６が取り付けられ、左側下部には、灰皿４６が取り付けられている。
【００４６】
一体皿２４における下皿部３０の図１の右側には受け皿スピーカ６０Ｕが配置されている。
【００４７】
ここで、一体皿２４における上皿部２８の周縁壁部３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００４８】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００４９】
この結果、上部演出部５２と下部演出部５４とで、遊技盤１８の周囲を取り囲むように、演出部５６が形成されている。
【００５０】
この演出部５６は、上部演出部５２及び下部演出部５４共に、照明部材（ＬＥＤ等）が取り付けられた基板（図示省略）と、この基板を覆うように、所定の意匠で形成されたレンズカバー５８が取り付けられている。
【００５１】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。また、ガラス枠の上部角部には、それぞれ三連表示部６２が設けられ、遊技状態の報知（エラー報知等を含む）に適用される。
【００５２】
また、前記上部演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００５３】
なお、以下では、前述した受け皿スピーカ６０Ｕと、このガラス枠スピーカ６０Ｃ、６０Ｌ、６０Ｒを総称して、「スピーカ６０」という場合がある。
【００５４】
（遊技盤の構成）
図２に示される遊技盤１８は、基板となるベニヤ板に樹脂製シート状のセルが貼着されてそのセルの表面が盤面となっている。なお、遊技盤１８の最前面（釘が打ち込まれる面）となる部材として透明のアクリル板を適用し、当該アクリル板の裏面側に、セルの代替であるレンズ面が設けられた電飾装置（セット板）が配置される場合もある。
【００５５】
遊技盤１８は、その盤面の外周端部付近に、円弧状の外レール１０２及び内レール１０４が取り付けられている。これらの外レール１０２及び内レール１０４によって囲まれた円形状の領域は、発射装置１６５（図４参照）から発射されて打ち込まれた遊技球ＰＢが自重落下により移動可能とされ、この領域が遊技を行う遊技領域とされている。
【００５６】
遊技盤１８の遊技領域には、釘１９（符号は、数カ所の釘に対して指標した）及び風車２１が点在して打ち込まれている。また、遊技領域におけるほぼ中央には、センター役物１０５（役物装置）が配置されている。ここで、遊技盤１８において、センター役物１０５の周囲の遊技盤面が通常遊技領域１８Ａとされ、センター役物１０５の内側の領域は、この通常遊技領域とは区画された特定遊技部１０５Ａとなる。センター役物１０５には一部に入賞流入口１１０が形成され、開閉部材としての羽根部材１１２が取り付けられ、この羽根部材１１２が開放しているときにかぎり、通常遊技領域１８Ａにある遊技球ＰＢを特定遊技部１０５Ａへ入賞させることが可能となっている。なお、センター役物１０５の構造については、後述する。
【００５７】
センター役物１０５の左右には、それぞれ一般入賞口１１４が設けられている。センター役物１０５よりも下部には、入賞役物装置１１６が設けられている。
【００５８】
入賞役物装置１１６には、その中央にセンター特定入賞口１１８Ｃが設けられ、その左右に一対のサイド特定入賞口１１８Ｌ、１１８Ｒが設けられている。なお、センター特定入賞口１１８Ｃ、サイド特定入賞口１１８Ｌ、１１８Ｒを総称する場合、単に、特定入賞口１１８という場合がある。また、入賞役物装置１１６の左右には、一般入賞口１１４が設けられている。
【００５９】
ここで、４個の一般入賞口１１４はそれぞれ入賞すると、所定数（例えば、１０〜１５球）の賞球払い出しが実行されるようになっている。
【００６０】
一方、特定入賞口１１８は、それぞれ入賞すると、所定数（１〜５球）の賞球払い出しが実行されると共に（賞球払い出しがない場合もある）、前記羽根部材１１２を所定期間開放する契機となる。
【００６１】
また、遊技盤１８の通常遊技領域１８Ａの最下位置には、何れの入賞口にも入賞しない外れ球を遊技盤１８の裏側へ排出するアウト口１２０が設けられている。
【００６２】
（センター役物１０５）
図３に示される如く、本実施の形態に係るセンター役物１０５は、左右対称形状とされ、その左右には、それぞれ縦壁部１２２が形成され、前記遊技盤１８の通常遊技領域１８Ａとは区画されている。また、センター役物１０５の天井部は、遊技機１８のテーマに即した形状の飾り部材１２４が取り付けられている。
【００６３】
一対の縦壁部１２２の上端部と、前記飾り部材１２４との間は開口しており、センター役物１０５内の特定遊技部１０５Ａへの一対の入賞流入口１１０とされている。
【００６４】
一対の縦壁部１２２の上端部には、台座１２６が取り付けられ、この台座１２６には、それぞれ羽根部材１１２が回転軸１１２Ａを介して、回転可能に取り付けられている。回転軸１１２Ａは、羽根部材ソレノイド１１２Ｓ（図４参照）がリンク機構（図示省略）を介して取り付けられている。
【００６５】
羽根部材１１２は、羽根部材ソレノイド１１２Ｓへの励磁制御によって、回転軸１１２Ａを中心に回転される。例えば、羽根部材ソレノイド１１２Ｓが非励磁の場合は縦位置（図３の実線参照）となり、励磁の場合は横位置（図３の想像線参照）となる。なお、一対の羽根部材１１２は、リンク機構によって単一の羽根部材ソレノイド１１２Ｓの励磁制御によって、同期して開閉動作がなされるが、それぞれ独立した駆動源を持ち、左右を非同期に開閉してもよい。
【００６６】
一対の羽根部材１１２は、前記特定入賞口１１８（図２参照）に遊技球ＰＢが入賞すると開放するようになっている。一例として、遊技球ＰＢが、一対のサイド特定入賞口１１８Ｌ、１１８Ｒの何れかに入賞すると、羽根部材１１２が１回、所定時間（約０．５秒〜１．０秒間）開放するように羽根部材ソレノイド１１２Ｓを駆動制御する。また、遊技球ＰＢがセンター特定入賞口１１８Ｃに入賞すると、羽根部材１１２が２回、所定時間（約０．５秒〜１．０秒間）開放するように羽根部材ソレノイド１１２Ｓを駆動制御する。
【００６７】
一対の台座１２６の内側（特定遊技部１０５Ａ側）には、案内傾斜部１２８が取り付けられ、左右の何れから入賞した遊技球ＰＢも、中央に位置する球検出センサ１３０Ｓを通過して、振り分け部１３２へ落下するようになっている。
【００６８】
振り分け部１３２は、落下面が円弧状に形成され、前記球検出センサ１３０Ｓから落下した遊技球ＰＢは、その落下位置によって、左右に振り分けられるようになっている。
【００６９】
振り分け部１３２の直下には、重力作用方向（図３の上下方向）に沿って直線状の中央遊技球通路１３４が形成されている。
【００７０】
この中央遊技球通路１３４を中心として、特定遊技部１０５Ａは左右対称に一対の側部遊技球通路１３６Ｌ、１３６Ｒに分離されている。以下、一対の側部遊技球通路１３６Ｌ、１３６Ｒに関しては、同一構造で左右対称形であるので、一方（図３の左側の側部遊技球通路１３６Ｌ）のみの構成を説明し、他方は同一の符号を付してその構成の説明を省略する。また、一対の側部遊技球通路１３６Ｌ、１３６Ｒを総称する場合に、単に「側部遊技球通路１３６」という場合がある。
【００７１】
前記振り分け部１３２によって振り分けられた遊技球ＰＢは、第１関門として機能する振分回転板１３８の周囲へ至るようになっている。
【００７２】
振分回転板１３８は、周方向に均等に５等分され、５個の略Ｕ字型の収容溝として、４個の低確率溝１３８Ａと、１個の高確率溝１３８Ｂとが形成されている。
【００７３】
振分回転板１３８は、その回転軸を介して振分回転板モータ１３８Ｍ（図４参照）の駆動軸に連結されており、図３の時計方向に一定速度で回転を継続するように制御される（なお、左右対称の右側の振分回転板１３８は図３の反時計方向に回転される。）。
【００７４】
なお、回転体１３８の高確率溝１３８Ｂが左右対称の位置に配置されているが、高確率溝１３８Ｂに遊技球ＰＢが入る頻度が高くなるのであれば、相互に１８０度ずれた位置に配置するようにすればよい（何れか一方を、回転中心に対して上下反転、左右反転、或いは上下左右反転）。
【００７５】
低確率溝１３８Ａは、その開口部に開口を狭めるように爪部が形成されており、振り分け部１３２からくる遊技球ＰＢが収容されて、図３の時計方向に回転すると、前記中央遊技球通路１３４と対面しても収容状態を維持し、さらに回転を継続し、前記側部遊技球通路１３６に対面すると排出されるようになっている。
【００７６】
一方、高確率溝１３８Ｂは、爪部が形成されておらず、振り分け部１３２からくる遊技球ＰＢが収容されて、図３の時計方向に回転すると、前記中央遊技球通路１３４と対面した時点で排出されるようになっている。
【００７７】
すなわち、第１関門の振分回転板１３８は、１／５の確率で遊技球ＰＢを中央遊技球通路１３４へ案内することができる。
【００７８】
側部遊技球通路１３６は、左右の壁から互い違いに案内傾斜部１４０が突出され、前記低確率溝１３８Ａから排出された遊技球ＰＢが、断続的に左右に移動しながら落下していくようになっている。
【００７９】
これに対して、前記高確率溝１３８Ｂから排出され、中央遊技球通路１３４に案内された遊技球ＰＢは、何ら抵抗を受けることなく、自重で重力方向に落下するようになっている。
【００８０】
中央遊技球通路１３４の直下には、第２の関門として機能する回転体１４２が配置されている。図５に示される如く、回転体１４２は、その周囲が円形で、直径方向に遊技球通路１４４が形成されている。回転体１４２は、その回転軸が回転体モータ１４２Ｍ（図４参照）の駆動軸に連結され、当該回転体モータ１４２Ｍの駆動力で一定速度で回転（時計方向、反時計方向は問わず）するようになっている。なお、一定速度である必要はなく、また、回転方向が切り替わってもよい。
【００８１】
ここで、回転体１４２の回転により、遊技球通路１４４が重力作用方向、すなわち図３の縦方向に向けられると、前記中央遊技球通路１３４と直線状に並ぶことになり、前記振分回転板１３８の高確率溝１３８Ｂから排出された遊技球ＰＢは、中央遊技球通路１３４及び回転体１４２の遊技球通路１４４を直線的に落下し、回転体１４２の直下に位置するＶ通路（当たり用通路）１４６へ案内されるようになっている。なお、Ｖ通路１４６には、球検出センサ１４６Ｓが設けられている。以下、この直線的に遊技球ＰＢをＶ通路１４６まで案内するルートを「スペシャルルート（直ルート）」という。
【００８２】
一方、前記側部遊技球通路１３６を断続的に左右に移動しながら落下する遊技球ＰＢは、第３の関門として機能するブリッジガイド部１４８へ到達するようになっている。ブリッジガイド部１４８は、平板形状でその中央部に回転軸１４８Ａが取り付けられ、当該回転軸１４８Ａが、ブリッジソレノイド１４８Ｓ（図４参照）とリンク機構を介して連結されている。このため、ブリッジガイド部１４８は、ブリッジソレノイド１４８Ｓの励磁制御によって、図３において若干右肩下がりの傾斜となる横方向（図３の実線参照）及び縦方向（図３の想像線参照）に選択的に位置決めされるようになっている。
【００８３】
なお、遊技球ＰＢが、前記中央遊技球通路１３４を落下して回転体１４２に到達したとき、回転体１４２の遊技球通路１４４が重力作用方向以外であった場合、遊技球ＰＢは、回転体１４２の外周に当接して、案内傾斜部１５１を介して、ブリッジガイド部１４８へ到達されるようになっている。
【００８４】
ここで、ブリッジガイド部１４８が横方向（図３の実線参照）に位置決めされているとき、遊技球ＰＢが到達すると、遊技球ＰＢは、ブリッジガイド部１４８の傾斜によって、回転体１４２の横位置に案内される。
【００８５】
また、ブリッジガイド部１４８が縦方向（図３の想像線参照）に位置決めされているとき、遊技球ＰＢが到達すると、遊技球ＰＢは、ブリッジガイド部１４８を通過して、外れ通路１５６へ案内される。なお、外れ通路１５６には、球検出センサ１５６Ｓが設けられている。
【００８６】
前記回転体１４２の横位置に案内された遊技球ＰＢは、回転体１４２の遊技球通路１４４が横向きになるか、ブリッジガイド部１４８が縦位置になるかによって、遊技球ＰＢの動向が異なることになる。
【００８７】
すなわち、ブリッジガイド部１４８が横方向を維持している間に回転体１４２の遊技球通路１４４が横向きになると、遊技球ＰＢは回転体１４２の内部へ流入する。しかし、回転体１４２の遊技球通路１４４が横向きになる前にブリッジガイド部１４８が縦方向に切り替わると、遊技球ＰＢは外れ通路１５６へ落下する。外れ通路１５６には、それぞれ、当該外れ通路１５６に流入してくる遊技球を検出する球検出センサ１５６Ｓが設けられている。なお、外れ通路１５６を下流側で合流させ、単一の球検出センサ１５６Ｓで検出するようにしてもよい。
【００８８】
図３及び図５に示される如く、本実施の形態の回転体１４２の遊技球通路１４４は、その中央部の内壁がそれぞれ円弧状に凹陥部１５８が形成されている。
【００８９】
凹陥部１５８は、遊技球通路１４４が重力作用方向（縦方向）となっているときは機能しないが、横方向となっているときは、流入してくる遊技球ＰＢが当該凹陥部１５８に落ち込むことで、遊技球ＰＢの転動の勢いを減衰させる機能を有する。
【００９０】
すなわち、前記スペシャルルートが形成された場合は、遊技球ＰＢが凹陥部１５８に関係なく、直線的にＶ通路１４６へ案内される。
【００９１】
また、ブリッジガイド部１４８が横方向とされ、回転体１４２の遊技球通路１４４が横向きになったときに流入する遊技球ＰＢは、ブリッジガイド部１４８の傾斜によって、ある程度勢いがあり、平坦な遊技球通路であると、反対側の開口から流出する可能性が高い。そこで、遊技球通路１４４の中央部に凹陥部１５８を設けることで、遊技球ＰＢはこの凹陥部１５８に落ち、登り上がろうとするときに移動速度が減速され、凹陥部１５８に滞留する場合がある。
【００９２】
凹陥部１５８に滞留している間に回転体１４２が回転を継続して、遊技球通路１４４が重力作用方向となると、滞留している遊技球ＰＢを、Ｖ通路１４６へ落下させることができる。以下、この一時的に滞留させた状態の遊技球ＰＢをＶ通路１４６まで案内するルートを「ノーマルルート（滞留ルート）」という。
【００９３】
本実施の形態のセンター役物１０５では、上記のように、第１の関門は、振分回転板１３８を用い、１／５の確率で中央遊技球通路１３４、４／５の確率で側部遊技球通路へ振り分け、第２の関門は、回転体１４２を用い、回転体１４２の回転タイミングに依存してＶ入賞させるかブリッジガイド部１４８へ案内し、第３の関門は、ブリッジガイド部１４８を用い、ブリッジガイド部１４８の切替タイミングと、回転体１４２の回転タイミングによりＶ通路１４６へ案内するか外れ通路１５６へ案内する構成としている。また、回転体１４２に固定的な形状として、遊技球通路１４４の中央に凹陥部１５８を形成することで、Ｖ入賞へのルートとして、スペシャルルートとノーマルルートとを構築したことを特徴とする。
（制御系の構成）
次に、図４を用いてパチンコ機１０の制御系について説明する。
【００９４】
本実施形態に係るパチンコ機１０の制御系は、図４に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００９５】
主制御部１５０からは盤用外部端子１９０を介してホールコンピュータ（図示省略）へ遊技の進行状態を示す情報（始動入賞信号や大当たり信号、図柄確定回数信号）が送信される。
【００９６】
主制御部１５０には、通常遊技領域１８Ａにおける入力系として、一般入賞口１１４（本実施の形態では４箇所）に入賞する遊技球を検出する一般入賞用の球検出センサ１１４Ｓ、センター特定入賞口１１８Ｃに入賞する遊技球を検出するセンター特定入賞用の球検出センサ１１８ＣＳ、サイド特定入賞口１１８Ｌ、１１８Ｒに入賞する遊技球を検出するサイド特定入賞用の球検出センサ１１８ＬＳ、１１８ＲＳが接続されている。
【００９７】
なお、一般入賞用の球検出センサ１１４Ｓは、各入賞口毎でもよいし、２以上の入賞口を合流させて兼用してもよい。
【００９８】
また、サイド特定入賞用の球検出センサ１１８ＬＳ、１１８ＲＳは、各特定入賞口毎でもよいし、２つのサイド特定入賞口１１８Ｌ、１１８Ｒを合流させて兼用してもよい。
【００９９】
また、主制御部１５０には、センター役物１０５の特定遊技部１０５Ａにおける入力系として、羽根部材１１２が開放したときに特定遊技部１０５Ａ内に入賞する遊技球ＰＢを検出する特定遊技部入賞用の球検出センサ１３０Ｓ、Ｖ通路１４６に入賞する遊技球ＰＢを検出するＶ通路用の球検出センサ１４６Ｓ、外れ通路１５６に流入する遊技球ＰＢを検出する外れ通路用の球検出センサ１５６Ｓが接続されている。
【０１００】
なお、外れ用の球検出センサ１５６Ｓは、各外れ通路１５６毎でもよいし、２つの外れ通路１５６を合流させて兼用してもよい。
【０１０１】
また、主制御部１５０には、通常遊技領域１８における出力系として、ガイドランプユニット１０９が接続されている。
【０１０２】
また、主制御部１５０には、センター役物１０５の特定遊技部１０５Ａにおける出力系として、羽根部材１１２を開閉するための羽根部材ソレノイド１１２Ｓ、一対の振分回転板１３８を回転させるための振分回転板モータ１３８Ｍ、回転体１４２を回転させるための回転体モータ１４２Ｍ、一対のブリッジガイド部１４８を縦横に傾動させるためのブリッジソレノイド１４８Ｓが接続されている。
【０１０３】
なお、一対の振分回転板１３８は、歯車等により単一の振分回転板モータ１３８Ｍで一対の振分回転板１３８を回転させてもよいし、独立して駆動源を持ってもよい。
【０１０４】
また、一対のブリッジガイド部１４８は、リンク機構等により、単一のブリッジソレノイドで一対のブリッジガイド部１４８を傾動させてもよいし、独立して駆動源を持ってもよい。
【０１０５】
演出制御部１５２には、入力系として、前記操作ボタン５０が接続されている。また、演出制御部１５２には、出力系として、パチンコ機１０の各種遊技部品に設けられた照明演出用の発光素子１３７、スピーカ６０（６０Ｌ、６０Ｃ、６０Ｒ、６０Ｕ）が接続されている。なお、遊技盤１８面にＬＣＤ表示部やＬＥＤ表示部等の表示部材を設ける場合には、演出制御部１５２に接続すればよい。
【０１０６】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【０１０７】
さらに、払出制御部１５４では、枠用外部端子１９１を介して払出情報をホールに設置されたホールコンピュータ（図示省略）へ送信するようになっている。
【０１０８】
以下に本実施の形態の作用を説明する。
【０１０９】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の遊技領域に打ち込まれ、遊技釘や風車に当たり方向を変えながら遊技領域内を落下する。そして、入賞せずに遊技領域の下端部に至った遊技球ＰＢはアウト口１２０からパチンコ機１０内に回収される。
【０１１０】
また、遊技球ＰＢが通常遊技領域１８Ａ内に設けたセンター特定入賞口１１８Ｃ又はサイド特定入賞口１１８Ｌ、１１８Ｒに入賞すると、センター役物１０５の羽根部材１１２が開閉動作され（約０．５秒〜１．０秒間の開放を１回又は２回実行）、遊技球ＰＢがセンター役物１０５内の特定遊技部１０５Ａへ入賞することを許可する。
【０１１１】
センター役物１０５内の特定遊技部１０５Ａでは、遊技球ＰＢの動向（流動状態）に応じて、Ｖ通路に流入するか否かが確定され、Ｖ通路に流入した場合には、遊技を継続する上で、遊技者に有利となり得る特典が付与される。また、一般入賞口１１４に入賞すると、予め定めた賞球（払い出し）が実行される。
【０１１２】
（センター役物１０５における遊技仕様の概要）
以下に、羽根部材１１２の開放によって遊技球ＰＢがセンター役物１０５の特定遊技部１０５Ａに入賞した場合の遊技球ＰＢの動向について詳細に説明する。
【０１１３】
通常遊技領域１８Ａに設けられたサイド特定入賞口１１８Ｌ、１１８Ｒに入賞すると、羽根部材１１２は、羽根部材ソレノイド１１２Ｓの励磁制御によって、０．５秒〜１．０秒程度の開放を１回だけ実行する。また、センター特定入賞口１１８Ｃに入賞すると、羽根部材１１２は、羽根部材ソレノイド１１２Ｓの励磁制御によって、０．５秒〜１．０秒程度の開放を２回だけ実行する。何れにしても、羽根部材１１２の開放中は、通常遊技領域１８Ａを落下している遊技球ＰＢが、センター役物１０５の特定遊技部１０５Ａへ入賞することが可能となる。
【０１１４】
特定遊技部１０５Ａに入賞したか否かは、特定遊技部入賞用の球検出センサ１３０Ｓによって検出される。
【０１１５】
この検出は、センター役物１０５内への、ＩＮ（流入）／ＯＵＴ（流出）を監視することが目的であり、例えば、特定遊技部入賞用の球検出センサ１３０Ｓによって遊技球ＰＢが検出されると、その都度タイマが起動して、所定時間経過しても流出がない（Ｖ通路用の球検出センサ１４６Ｓ、外れ通路用の球検出センサ１５６Ｓで検出しない）場合に、球噛み、球詰まりや、不正行為の発生を予測して、エラー報知を行う。
【０１１６】
前記特定遊技部１０５Ａに入賞した遊技球ＰＢは、案内傾斜部１２８を転動し、振り分け部１３２に落下する。
【０１１７】
この振り分け部１３２は、円弧面であるので、遊技球ＰＢは左右の何れに振り分けられる。この振り分けられた下流側には、それぞれ振分回転板１３８が設けられ、予め回転しながら、遊技球ＰＢを待ち受けている。なお、本実施の形態では、一対の振分回転板１３８は振分回転板モータ１３８Ｍの駆動力で一定速度で回転され、図３の左側の振分回転板１３８は時計回り方向、図３の右側の振分回転板１３８は反時計回り方向に回転している。
【０１１８】
遊技球ＰＢは、振分回転板１３８の周面に設けられた５個の収容溝が設けられ、４／５の確率で低確率溝１３８Ａに収容され、１／５の確率で高確率溝１３８Ｂに収容される。
【０１１９】
（低確率溝１３８Ａに収容された場合）
低確率溝１３８Ａに収容された遊技球ＰＢは、振分回転板１３８が回転し、中央遊技球通路１３４に到達しても、爪部によって遊技球ＰＢの排出が阻止され、そのまま回転し続ける。その後、遊技球ＰＢが収容されている低確率溝１３８Ａがほぼ下向きになると、当該収容されている遊技球ＰＢが排出され、側部遊技球通路１３６へ落下する。
【０１２０】
側部遊技球通路１３６に落下した遊技球ＰＢは、案内傾斜部１４０に案内されながら、断続的に左右に移動しながら落下し、ブリッジガイド部１４８へ到達する。
【０１２１】
このとき、ブリッジガイド部１４８の向きが縦向きの場合は、遊技球ＰＢは、当該ブリッジガイド部１４８を通過して、外れ通路１５６へ案内され、この時点で、当該遊技球ＰＢによる遊技は終了する。
【０１２２】
一方、ブリッジガイド部１４８の向きが横向きの場合は、遊技球ＰＢは、ブリッジガイド部１４８に支持されて、回転体１４２方向へ転動する。回転体１４２は回転体モータによって一定速度で回転されており、ブリッジガイド部１４８が横方向を維持している間に回転体１４２の遊技球通路１４４が横向きになると、遊技球ＰＢは回転体１４２の内部へ流入する。しかし、回転体１４２の遊技球通路１４４が横向きになる前にブリッジガイド部１４８が縦方向に切り替わると、遊技球ＰＢは外れ通路１５６へ落下する。
【０１２３】
（高確率溝１３８Ｂに収容された場合）
次に、振り分け部１３２から振分回転板１３８へ至る遊技球ＰＢが、高確率溝１３８Ｂに収容されると、当該遊技球ＰＢは、振分回転板１３８の回転により、中央遊技球通路１３４に到達すると、高確率溝１３８Ｂから流出し、中央遊技球通路１３４を直線的に落下する。この中央遊技球通路１３４の下端部に配置された回転体１４２の遊技球通路１４４が重力作用方向（縦方向）となっている場合は、前記中央遊技球通路１３４と回転体１４２の遊技球通路１４４とが直線上に並び、遊技球ＰＢは、何ら抵抗を受けることなく、Ｖ通路１４６へ流入することができる。これが「スペシャルルート」と称する経路であり、遊技者から見ると、即時に目的を達成（Ｖ通路への流入）できるという満足感を与えることができる。
【０１２４】
一方、中央遊技球通路１３４を落下して回転体１４２に遊技球ＰＢが到達するとき、回転体１４２の遊技球通路１４４が縦向きではない場合は、遊技球ＰＢは、回転体１４２の周面に当接し、案内傾斜部１５１を介して、前記ブリッジガイド部１４８へ到達する。
【０１２５】
ここで、ブリッジガイド部１４８が横方向を維持している間に回転体１４２の遊技球通路１４４が横向きになると、遊技球ＰＢは回転体１４２の内部へ流入する。
【０１２６】
流入した遊技球ＰＢは、ブリッジガイド部１４８の傾斜によって、ある程度勢いがある。このため、回転体１４２の遊技球通路１４４が平坦であると、反対側の開口から流出する可能性が高い。そこで、本実施の形態では、遊技球通路１４４の中央部に凹陥部１５８を設けた。このため、遊技球通路１４４の一方の開口から流入した遊技球ＰＢは、凹陥部１５８に落ち、登り上がろうとするときに移動速度が減速され、凹陥部１５８に滞留する場合がある。この結果、他方の開口からの流出が防止される。
【０１２７】
凹陥部１５８に滞留している間に回転体１４２が回転を継続して、遊技球通路１４４が重力作用方向となると、滞留している遊技球ＰＢは、Ｖ通路１４６へ落下する。以下、この一時的に滞留させた状態の遊技球ＰＢをＶ通路１４６まで案内するルートが「ノーマルルート（滞留ルート）」と称する経路であり、遊技者に対して、遊技球が目的の方向へ流出されるか否かという緊張感を与えることができる。
【０１２８】
このように、回転体１４２には、動作部材が一切なく、固定的な形状であるにも関わらず、遊技球通路１４４の向きによって、固定構造の遊技球通路の機能を、スペシャルルート又はノーマルルートとして機能させることができ、変化に富んだ遊技球の動向を実現することができる。
【０１２９】
このように、本実施の形態のセンター役物１０５では、羽根部材１１２の開閉、振分回転板１３８の回転、ブリッジガイド部１４８の傾動、回転体１４２の回転のそれぞれのタイミングによって、遊技球ＰＢの動向にバリエーションを持たせることができる。また、遊技者に満足感を与えるスペシャルルートとして、遊技球ＰＢをほぼ直線的にＶ通路への流入まで案内する道程を構築することができる。
【０１３０】
図６は、振分回転板１３８の回転、ブリッジガイド部１４８の傾動、回転体１４２の回転のそれぞれの動作のタイミングチャートである。なお、この図６のタイミングチャートは遊技仕様を特定するものではなく、遊技仕様の目的、或いは出玉率の設定等に基づいて、相関関係を変更可能である。
【０１３１】
図６に示される如く、振分回転板１３８では、１／５の確率で高確率溝１３８Ｂに遊技球ＰＢを収容することができ、当該高確率溝１３８Ｂから遊技球が排出されるとき、回転体１４２の遊技球収容溝１４４が縦向きとなっているときがスペシャルルートが構築（成立）されているときであり、振分回転板１３８又は回転体１４２の回転の１周期に一度あるか無いかのわずかなチャンスであるが、その分、遊技者は、このスペシャルルートが構築されたタイミングで遊技球ＰＢがＶ通路１４６まで案内されると、満足感を持つことができる。
【０１３２】
（回転体１４２の構成及び作用効果）
図７及び図８に示される如く、本実施の形態における回転体１４２は、直径方向に直線的に遊技球通路１４４を形成し、その遊技球通路１４４の途中（略中央部）を、遊技球通路１４４の幅よりも大きく、かつ回転体１４２の外形よりも小さい直径（Ｌ）の円に沿って切削することで、遊技球通路１４４の両側部に円弧状の凹陥部１５８を形成した。
【０１３３】
なお、遊技球通路１４４の幅寸法は１２ｍｍ、直径Ｌが２４ｍｍであり、凹陥部１５８に２個の遊技球ＰＢ（直径１１ｍｍ）が収容されても、球詰まりがない構造となっている。
【０１３４】
回転体１４２は回転可能であり、例えば、一方向に一定速度で回転していると、遊技球通路１４４が、重力作用方向（縦方向）に向けられる場合と（図７参照）、それ以外の場合とがある（図８参照）。
【０１３５】
図７に示される如く、遊技球通路１４４が重力作用方向（縦方向）に向けられると、上端の開口から流入した遊技球ＰＢを、凹陥部１５８に干渉させることなく、下端の開口から流出させることができる。
【０１３６】
一方、図８に示される如く、遊技球通路１４４が、重力作用方向（縦方向）以外、例えば、水平方向（横方向）に向けられると、左端又は右端の開口（一方の開口）から流入した遊技球ＰＢは、その流入時の勢いに応じて、凹陥部１５８に落下する。
【０１３７】
凹陥部１５８に落下した遊技球ＰＢに勢いが残っている場合は、凹陥部１５８を登り上がろうとすることで勢いが減衰し、所定の確率で凹陥部１５８に滞留する場合と、右端又は左端の開口（他方の開口）から流出する。また、凹陥部１５８に滞留した遊技球ＰＢは、回転体１４２が回転して、何れか一方の開口が下向きになった時点で、当該開口から流出する。
【０１３８】
前記所定の確率は、遊技球ＰＢの流入時の勢い、並びに凹陥部１５８の深さに依存するものであり、遊技性を考慮して決めればよい。例えば、凹陥部１５８の滞留の確率を上げるためには、回転体１４２の遊技球通路１４４への流入速度（勢い）を遅くする、或いは単純に切削時の直径Ｌのみで調整する場合、凹陥部１５８の深さを深くすればよい。
【０１３９】
回転体１４２は上記のように、遊技球通路１４４が、少なくとも重力作用方向に向けられた場合とそれ以外の場合とで遊技球ＰＢの案内形態が異なるようにすればよく、本実施の形態に示した形状に限定されるものではない。以下、回転体１４２の変形例を示す。
【０１４０】
（変形例１）
図９には、変形例１に係る回転体１７０が示されている。回転体１７０には、直径方向に遊技球通路１７２が形成され、その中央部に、当該遊技球通路１７２の幅を狭めるための凸部１７４が形成されている。
【０１４１】
遊技球通路１７２が重力作用方向（縦方向）に向けられた場合は、上端から流入した遊技球ＰＢは、凸部１７４で若干減速されるものの、ほぼ直線的な移動軌跡で下端から流出される。
【０１４２】
一方、遊技球通路１７２が横方向に向けられた場合は、左右の開口の一方から流入した遊技球ＰＢは、凸部１７４によってその勢いが減衰し、左右の開口の他方へは到達せず、停滞させることができる。この状態で、回転体１７０が９０°回転すると、下方に向けられた開口から排出される。
【０１４３】
（変形例２）
なお、変形例１では、凸部１７４を形成したが、図１０に示される如く、例えば、遊技球通路１７２の内壁にゴムや剛性の高い起毛等で形成されたシート部材１７６を貼り付け、摩擦力によって遊技球ＰＢを停滞させる構造であってもよい。
【０１４４】
（変形例３）
図１１には、変形例３に係る回転体１７８が示されている。回転体１７８には、直径方向に互いに直交する一対の遊技球通路１８０、１８２が形成され、全体として十字型の遊技球通路が形成されている。この一対の遊技球通路１８０、１８２の交差部における、四隅は、遊技球通路を狭めるための突起部１８４が形成されている。
【０１４５】
遊技球通路１８０又は１８２が重力作用方向（縦方向）に向けられた場合は、上端から流入した遊技球ＰＢは、突起部１８２で若干減速されるものの、ほぼ直線的な移動軌跡で下端から流出される。
【０１４６】
一方、左右の開口の一方から流入した遊技球ＰＢは、突起部１８４によってその勢いが減衰し、左右並びに下方の開口へは到達せず、停滞させることができる。この状態で、回転体１７８が９０°回転すると、下方に向けられた開口から排出される。
【符号の説明】
【０１５１】
ＰＢ    遊技球
１０    パチンコ機（遊技機）
１８    遊技盤
１８Ａ    通常遊技領域
１９    釘
２１    風車
１０２    外レール
１０４    内レール
１０５    センター役物（役物装置）
１０５Ａ    特定遊技部
１１０    入賞流入口
１１２    羽根部材
１１２Ａ    回転軸
１１２Ｓ    羽根部材ソレノイド
１１４    一般入賞口
１１４Ｓ    球検出センサ
１１６    入賞役物装置
１１８    特定入賞口
１１８Ｃ    センター特定入賞口
１１８ＣＳ    球検出センサ
１１８Ｌ、１１８Ｒ    サイド特定入賞口
１１８ＬＳ、１１８ＲＳ    球検出センサ
１２０    アウト口
１２２    縦壁部
１２４    飾り部材
１２６    台座
１２８    案内傾斜部
１３０Ｓ    球検出センサ
１３２    振り分け部
１３４    中央遊技球通路
１３６Ｌ、１３６Ｒ    側部遊技球通路
１３８    振分回転板
１３８Ａ    低確率溝
１３８Ｂ    高確率溝
１３８Ｍ    振分回転板モータ
１４０    案内傾斜部
１４２    回転体
１４４    遊技球通路
１４２Ｍ    回転体モータ
１４６    Ｖ通路
１４６Ｓ    球検出センサ
１４８    ブリッジガイド部
１４８Ａ    回転軸
１４８Ｓ    ブリッジソレノイド
１５０    主制御部
１５１    案内傾斜部
１５２    演出制御部
１５４    払出制御部
１５６    外れ通路
１５６Ｓ    球検出センサ
１５８    凹陥部（流動制限手段）
１６０    払出装置
１６４    発射制御部
１６５    発射装置
【図１】
0005791973.tif 000002
【図２】
0005791973.tif 000003
【図３】
0005791973.tif 000004
【図４】
0005791973.tif 000005
【図５】
0005791973.tif 000006
【図６】
0005791973.tif 000007
【図７】
0005791973.tif 000008
【図８】
0005791973.tif 000009
【図９】
0005791973.tif 000010
【図１０】
0005791973.tif 000011
【図１１】
0005791973.tif 000012